(57)【要約】【課題】  橋梁添架管の内面に、難燃性と耐熱性を有し、且つ高強度の内張り材を内張りすることによって、橋梁添架管を補強し、地絡が生じたときにもそのエネルギーに耐え、且つ絶縁油の漏出を阻止して被害の拡大を防止することを目的とする。【解決手段】  送電線４を敷設するための橋梁添架管３の補強構造であって、高強度耐熱難燃性繊維組織８と反応硬化型樹脂１３とからなり、前記橋梁添架管３の内面に一体化して設けられた筒状のＦＲＰ層６と、当該ＦＲＰ層６の内面に一体化して設けられた熱可塑性樹脂被膜層７とよりなる内張り層５を有する。【選択図】          図３
2008259255.tif 000002
【特許請求の範囲】
【請求項１】
送電線（４）を敷設するための橋梁添架管（３）の補強構造であって、高強度耐熱難燃性繊維組織（８）と反応硬化型樹脂（１３）とからなり、前記橋梁添架管（３）の内面に一体化して設けられた筒状のＦＲＰ層（６）と、当該ＦＲＰ層（６）の内面に一体化して設けられた熱可塑性樹脂被膜層（７）とよりなる内張り層（５）を有することを特徴とする、橋梁添架管の補強構造
【請求項２】
前記ＦＲＰ層（６）が、複数本のたて糸（９）と当該たて糸（９）に連続してスパイラル状に織り込まれたよこ糸（１０）とからなり、たて糸（９）又はよこ糸（１０）の少なくとも一方がアラミド繊維糸である筒状織布（１１）と、当該筒状織布（１１）に一体化され、前記橋梁添架管（３）の内面側に位置するように配された、周方向に連続するスパイラル状のガラス繊維糸（１２）とで構成される高強度耐熱難燃性繊維組織（８）と、当該高強度耐熱難燃性繊維組織（８）に含浸硬化されたエポキシ樹脂（１３）とからなることを特徴とする、請求項１に記載の橋梁添架管の補強構造
【請求項３】
前記内張り層（５）が、前記橋梁添架管（３）の内面側に設けられた第一内張り層（５ａ）と、当該第一内張り層（５ａ）の内面に設けられた第二内張り層（５ｂ）とからなることを特徴とする、請求項１に記載の橋梁添架管の補強構造
【請求項４】
前記第一内張り層（５ａ）を形成するＦＲＰ層（６）が、複数本のたて糸（９）と当該たて糸（９）に連続してスパイラル状に織り込まれたよこ糸（１０）とからなり、たて糸（９）又はよこ糸（１０）の少なくとも一方がアラミド繊維糸である筒状織布（１１）で構成された高強度耐熱性繊維組織（１６）と、当該高強度耐熱性繊維組織（１６）に含浸硬化されたエポキシ樹脂（１３）とで形成され、前記第二内張り層（５ｂ）を形成するＦＲＰ層（６）が、複数本のたて糸（９）と当該たて糸（９）に連続してスパイラル状に織り込まれたよこ糸（１０）とからなり、たて糸（９）又はよこ糸（１０）の少なくとも一方がアラミド繊維糸である筒状織布（１１）と、当該筒状織布（１１）に一体化され、橋梁添架管（３）の内面側に位置するように配された、周方向に連続するスパイラル状のガラス繊維糸（１２）とで構成される高強度耐熱難燃性繊維組織（８）と、当該高強度耐熱難燃性繊維組織（８）に含浸硬化したエポキシ樹脂（１３）とで形成されていることを特徴とする、請求項３に記載の橋梁添架管の補強構造
【請求項５】
前記第一内張り層（５ａ）及び前記第二内張り層（５ｂ）を形成するＦＲＰ層（６）が、複数本のたて糸（９）と当該たて糸（９）に連続してスパイラル状に織り込まれたよこ糸（１０）とからなり、たて糸（９）又はよこ糸（１０）の少なくとも一方がアラミド繊維糸である筒状織布（１１）と、当該筒状織布（１１）に一体化され、橋梁添架管（３）の内面側に位置するように配された、周方向に連続するスパイラル状のガラス繊維糸（１２）とで構成される高強度耐熱難燃性繊維組織（８）と、当該高強度耐熱難燃性繊維組織（８）に含浸硬化されたエポキシ樹脂（１３）とで形成されていることを特徴とする、請求項３に記載の橋梁添架管の補強構造
【請求項６】
複数本のたて糸（９）と当該たて糸（９）に連続してスパイラル状に織り込まれたよこ糸（１０）とからなり、前記たて糸（９）又はよこ糸（１０）の少なくとも一方がアラミド繊維糸である筒状織布（１１）と、当該筒状織布（１１）の内面において周方向に連続してスパイラル状に配されたガラス繊維糸（１２）とよりなる高強度耐熱難燃性繊維組織（８）と、前記筒状織布（１１）の外面に設けられた熱可塑性樹脂被膜層（７）とからなるホース状の内張り材（１４）の内部に、反応硬化型樹脂液を注入して前記高強度耐熱難燃性繊維組織（８）に含浸させ、その内面が外面となるように裏返しながら前記内張り材（１４）を橋梁添架管（３）内に挿通する工程と、前記反応硬化型樹脂液を硬化させて内張り層（５）を形成する工程とを含むことを特徴とする、橋梁添架管の補強方法
【請求項７】
内張り材挿通工程及び反応硬化型樹脂液の硬化工程を複数回繰り返し、前記橋梁添架管（３）内に内張り層（５）を複数層形成することを特徴とする、請求項６に記載の橋梁添架管の補強方法
【請求項８】
複数本のたて糸（９）と当該たて糸（９）に連続してスパイラル状に織り込まれたよこ糸（１０）とからなり、前記たて糸（９）又はよこ糸（１０）の少なくとも一方がアラミド繊維糸である筒状織布（１１）よりなる高強度耐熱性繊維組織（１６）と、前記筒状織布（１１）の外面に設けられた熱可塑性樹脂被膜層（７）からなるホース状の内張り材（１４）の内部に、反応硬化型樹脂液を注入して前記高強度耐熱性繊維組織（１６）に含浸させ、その内面が外面となるように裏返しながら前記内張り材（１４）を橋梁添架管（３）内に挿通し、前記反応硬化型樹脂液を硬化させて第一内張り層（５ａ）を形成し、複数本のたて糸（９）と当該たて糸（９）に連続してスパイラル状に織り込まれたよこ糸（１０）とからなり、前記たて糸（９）又はよこ糸（１０）の少なくとも一方がアラミド繊維糸である筒状織布（１１）と、当該筒状織布（１１）の内面において周方向に連続してスパイラル状に配されたガラス繊維糸（１２）とよりなる高強度耐熱難燃性繊維組織（８）と、前記筒状織布（１１）の外面に設けられた熱可塑性樹脂被膜層（７）からなるホース状の内張り材（１４）の内部に、反応硬化型樹脂液を注入して前記高強度耐熱難燃性繊維組織（８）に含浸させ、その内面が外面となるように裏返しながら第一内張り層（５ａ）の中に内張り材（１４）を挿通し、前記反応硬化型樹脂液を硬化させて第二内張り層（５ｂ）を形成することを特徴とする、橋梁添架管の補強方法
【発明の詳細な説明】
【技術分野】
【０００１】
本発明は、河川などを跨いで架設された橋梁の下側に沿ってＯＦケーブル、ＣＶケーブルなどの電力ケーブルを敷設するための、橋梁添架管の補強構造及び補強方法に関するものである。
【背景技術】
【０００２】
電力は、発電所で発電され、送電線により変電所に送電され、変電された後に需要家に配電される。送電線はかなりの距離を送電し、多くの変電所に電力を供給するため河川を横断する場合も多い。河川横断の手段の一つとして、橋梁の下側に橋梁添架管を設置し、その中に送電線を敷設する方法がある。
【０００３】
図１はこのような橋梁の下側に設置された橋梁添架管を通して送電線を敷設した状態を示すものであって、橋梁１の下部にフレーム２を固定し、当該フレーム２に橋梁添架管３を掛け渡し、当該橋梁添架管３内に送電線４を挿通している。
【０００４】
送電線として用いられる電力ケーブルに地絡が起こると、ケーブルが破損し、さらに万一橋梁添架管の破損にまで発展すると、漏油や火災などの二次災害が発生する可能性があるが、これらに対しては橋梁添架管自体の難燃性と気密性とにより防止しているのが実情である。
【０００５】
電力ケーブルの一つであるＯＦケーブルにおいては、二次災害を防止するために種々の防災処置が施される。例えば、ケーブルを防災トラフ内に隔離し、トラフの難燃性と気密性とによってケーブル地絡時に発生するケーブルの火災が拡がるのを防止することが行われている。
【０００６】
しかしながら、今後電力系統の拡大に伴い、地絡時に発生する事故電流が増大していくと、橋梁添架管自体の難燃性と気密性だけでは二次災害の発生を十分に抑制できない可能性があり、事故電流が増大しても橋梁添架管の破壊を抑制し、延焼を防止するための難燃性を付与できるような補強方法が求められている。
【０００７】
このような補強方法の一つとして、特開２００２−１７１６５２公報には、橋梁添架や洞道内に敷設されているパイプタイプＯＦケーブル管路の外面に、エポキシガラステープを巻回して補強する方法が示されている。
【０００８】
この方法は、ケーブルを橋梁添架管の中に敷設したまま施工できるという利点があるが、エポキシガラステープを橋梁添架管に巻回するためには、管の全長に亙って足場を組む必要があり、必ずしも作業性がよいとは言えないのが現状である。さらにケーブルの敷設状況によっては、橋梁添架管を補強する際にケーブルを橋梁添架管から抜き取ることが可能であり、このような場合には橋梁添架管の内面側からの補強を行う方法を選択するのが好ましい。
【０００９】
管の内面側から内張りする方法として、反応硬化型樹脂液を含浸させた筒状の内張り材を反転して既設管内に挿入し、反応硬化型樹脂液を硬化させることにより、既設管の内面に新しい内張り補強層を形成する方法がある。例えば特開昭４９−０７２３７２号公報に示された方法が知られている。
【００１０】
しかしながらこの公報に示された方法は、内張り材としてプラスチックチューブが使用されているが、橋梁添架管を補強するには強度が十分ではなく、内張り材として高圧の送電線に地絡が生じたときにそのアークや衝撃波に耐え、且つケーブルが絶縁油を含む場合には、そのケーブルが破損して漏油が生じたときにも延焼することがないだけの難燃性を有することが求められる。
【特許文献１】特開２００２−１７１６５２号公報
【特許文献２】特開昭４９−０７２３７２号公報
【発明の開示】
【発明が解決しようとする課題】
【００１１】
本発明はかかる事情に鑑みなされたものであって、ＦＲＰ管や鋼管などの橋梁添架管の内面に、難燃性と耐熱性を有し、且つ高強度の内張り材を内張りすることによって、橋梁添架管を補強し、地絡が生じたときにもそのエネルギーに耐え、且つ送電線がＯＦケーブルのように絶縁油を含む場合には、その絶縁油の漏出を阻止して被害の拡大を防止することを目的とするものである。
【課題を解決するための手段】
【００１２】
而して本発明の補強構造は、送電線を敷設するための橋梁添架管の補強構造であって、高強度耐熱難燃性繊維組織と反応硬化型樹脂とからなり、前記橋梁添架管の内面に一体化して設けられた筒状のＦＲＰ層と、当該ＦＲＰ層の内面に一体化して設けられた熱可塑性樹脂被膜層とよりなる内張り層を有することを特徴とするものである。
【００１３】
この構造においては前記ＦＲＰ層が、複数本のたて糸と当該たて糸に連続してスパイラル状に織り込まれたよこ糸とからなり、たて糸又はよこ糸の少なくとも一方がアラミド繊維糸である筒状織布と、当該筒状織布に一体化され、前記橋梁添架管の内面側に位置するように配された、周方向に連続するスパイラル状のガラス繊維糸とで構成される高強度耐熱難燃性繊維組織と、当該高強度耐熱難燃性繊維組織に含浸硬化されたエポキシ樹脂とからなるものとすることが好ましい。
【００１４】
また本発明における前記内張り層の構造として、前記内張り層が、前記橋梁添架管の内面側に設けられた第一内張り層と、当該第一内張り層の内面に設けられた第二内張り層とからなることが好ましい。
【００１５】
さらにこの二層の構造においては、前記第一内張り層を形成するＦＲＰ層が、複数本のたて糸と当該たて糸に連続してスパイラル状に織り込まれたよこ糸とからなり、たて糸又はよこ糸の少なくとも一方がアラミド繊維糸である筒状織布で構成された高強度耐熱性繊維組織と、当該高強度耐熱性繊維組織に含浸硬化されたエポキシ樹脂とで形成され、前記第二内張り層を形成するＦＲＰ層が、複数本のたて糸と当該たて糸に連続してスパイラル状に織り込まれたよこ糸とからなり、たて糸又はよこ糸の少なくとも一方がアラミド繊維糸である筒状織布と、当該筒状織布に一体化され、橋梁添架管の内面側に位置するように配された、周方向に連続するスパイラル状のガラス繊維糸とで構成される高強度耐熱難燃性繊維組織と、当該高強度耐熱難燃性繊維組織に含浸硬化したエポキシ樹脂とで形成されているものとすることができる。
【００１６】
また前記二層の内張り層を有するものとして、前記第一内張り層及び前記第二内張り層を形成するＦＲＰ層が、複数本のたて糸と当該たて糸に連続してスパイラル状に織り込まれたよこ糸とからなり、たて糸又はよこ糸の少なくとも一方がアラミド繊維糸である筒状織布と、当該筒状織布に一体化され、橋梁添架管の内面側に位置するように配された、周方向に連続するスパイラル状のガラス繊維糸とで構成される高強度耐熱難燃性繊維組織と、当該高強度耐熱難燃性繊維組織に含浸硬化されたエポキシ樹脂とで形成されているものとすることもできる。
【００１７】
また本発明の補強方法は、複数本のたて糸と当該たて糸に連続してスパイラル状に織り込まれたよこ糸とからなり、前記たて糸又はよこ糸の少なくとも一方がアラミド繊維糸である筒状織布と、当該筒状織布の内面において周方向に連続してスパイラル状に配されたガラス繊維糸とよりなる高強度耐熱難燃性繊維組織と、前記筒状織布の外面に設けられた熱可塑性樹脂被膜層とからなるホース状の内張り材の内部に、反応硬化型樹脂液を注入して前記高強度耐熱難燃性繊維組織に含浸させ、その内面が外面となるように裏返しながら前記内張り材を橋梁添架管内に挿通する工程と、前記反応硬化型樹脂液を硬化させて内張り層を形成する工程とを含むことを特徴とするものである。
【００１８】
この補強方法においては、内張り材挿通工程及び反応硬化型樹脂液の硬化工程を複数回繰り返し、前記橋梁添架管内に内張り層を複数層形成することが好ましい。
【００１９】
さらに前記補強方法としては、複数本のたて糸と当該たて糸に連続してスパイラル状に織り込まれたよこ糸とからなり、前記たて糸又はよこ糸の少なくとも一方がアラミド繊維糸である筒状織布よりなる高強度耐熱性繊維組織と、前記筒状織布の外面に設けられた気密層からなるホース状の内張り材の内部に、反応硬化型樹脂液を注入して前記高強度耐熱性繊維組織に含浸させ、その内面が外面となるように裏返しながら前記内張り材を橋梁添架管内に挿通し、前記反応硬化型樹脂液を硬化させて第一内張り層を形成し、複数本のたて糸と当該たて糸に連続してスパイラル状に織り込まれたよこ糸とからなり、前記たて糸又はよこ糸の少なくとも一方がアラミド繊維糸である筒状織布と、当該筒状織布の内面において周方向に連続してスパイラル状に配されたガラス繊維糸とよりなる高強度耐熱難燃性繊維組織と、前記筒状織布の外面に設けられた気密層からなるホース状の内張り材の内部に、反応硬化型樹脂液を注入して前記高強度耐熱難燃性繊維組織に含浸させ、その内面が外面となるように裏返しながら第一内張り層の中に内張り材を挿通し、前記反応硬化型樹脂液を硬化させて第二内張り層を形成することもできる。
【発明の効果】
【００２０】
本発明によれば、耐熱性難燃性を有しかつ高強度の内張り層を橋梁添架管の内面に形成することにより、橋梁添架管内の電力ケーブルに地絡が発生しても、内張り層に穴が開いたり破壊することがなく、かつ電力ケーブルがＯＦケーブルのように絶縁油を含む場合には、橋梁添架管内に絶縁油が漏出したとしても、橋梁添架管の外に漏出するのを防ぐことができる。
【発明を実施するための最良の形態】
【００２１】
以下本発明の実施の形態を図面に従って説明する。図２は本発明により補強された橋梁添架管３に送電線４を敷設した状態を示すものである。橋梁添架管３及び送電線４は既設のものがそのまま使用され、橋梁添架管３はＦＲＰ管や鋼管などよりなっており、また送電線４はＯＦケーブルやＣＶケーブルが使用されている。
【００２２】
橋梁添架管３の内面に内張り層５が形成されており、その内張り層５は橋梁添架管３の内面に接着された高強度耐熱難燃性繊維組織と反応硬化型樹脂とよりなるＦＲＰ層６と、その内面に一体に形成された熱可塑性樹脂被膜層７とよりなっている。
【００２３】
図３は内張りされた橋梁添架管３の一部断面を拡大して示したものであって、前記ＦＲＰ層６を形成する高強度耐熱難燃性繊維組織８は、複数本のたて糸９と当該たて糸９に連続してスパイラル状に織り込まれたよこ糸１０とからなる筒状織布１１の外面に、ガラス繊維糸１２が周方向に連続するスパイラル状に配されており、その筒状織布１１及びガラス繊維糸１２にエポキシ樹脂などの反応硬化型樹脂１３が含浸されている。そして前記筒状織布１１の内面には、熱可塑性樹脂被膜層７が一体に接着されている。
【００２４】
そして前記筒状織布１１におけるたて糸９及びよこ糸１０は、その少なくとも一方がアラミド繊維糸よりなっている。このたて糸９とよこ糸１０とは、少なくともいずれか一方がアラミド繊維糸であることが必要であるが、他方の糸としてはポリエステル繊維又はナイロン繊維の糸が適当である。またたて糸９及びよこ糸１０の両方がアラミド繊維糸であっても差し支えない。
【００２５】
この橋梁添架管３を補強する方法としては、先ず橋梁添架管３の内張り材１４を形成する。内張り材１４は図４に示すように前記補強構造における内張り層５の内外を逆にした構造を有するものであって、環状に配置された複数本のたて糸９によこ糸１０を連続してスパイラル状に織り込んで筒状織布１１を形成し、当該筒状織布１１の内面に周方向に連続してスパイラル状にガラス繊維糸１２を配し、接結糸１５で一体に結合している。そして前記筒状織布１１の外面には熱可塑性樹脂被膜層７が形成されている。
【００２６】
而して当該内張り材１４内にエポキシ樹脂などの反応硬化型樹脂液を注入して、当該樹脂液を前記内張り材１４における筒状織布１１及びガラス繊維糸１２に含浸させ、その内張り材１４を流体圧力により内面が外面となるように裏返しながら、前記橋梁添架管３内に挿通する。
【００２７】
そして裏返った内張り材１４内に流体圧力を作用させ、その内張り材１４の外面（裏返し前の内面）を橋梁添架管３の内面に圧接しつつ、必要に応じて内張り材１４を加温して前記反応硬化型樹脂液を硬化させ、橋梁添架管３の内側に前記筒状織布１１及びガラス繊維糸１２を包含したＦＲＰ管を形成し、当該管を橋梁添架管３に接着し、橋梁添架管３内面に内張り層５を形成する。
【００２８】
本発明によれば、内張り層５における筒状織布１１及びガラス繊維糸１２に反応硬化型樹脂１３が含浸されて硬化しており、十分な量の反応硬化型樹脂１３が含浸されて厚みを有する強固なＦＲＰ層６を形成しているので、橋梁添架管３は十分に補強される。
【００２９】
従って橋梁添架管３内において送電線４に地絡が生じたとしても、前記ＦＲＰ層６がそのアークや衝撃波に耐え、橋梁添架管３が破壊されることはない。またＦＲＰ層６におけるガラス繊維糸１２は不燃性であり、筒状織布１１に使用されるアラミド繊維も難燃性であるので、ＦＲＰ層６は高度の耐熱難燃性を有している。従って地絡が生じた場合の被害は橋梁添架管３内に限定され、漏油や延焼により被害が拡大することがない。
【００３０】
また本発明の方法によれば、橋梁添架管３から送電線４を抜き取ることができれば、橋梁添架管３内に内張り層５を形成する工程は橋梁添架管３の両端部における作業のみで行うことができる。従って河川を跨いだ橋梁に設けられた橋梁添架管３に内張りを施す場合には、河川の両岸で作業することができ、橋梁添架管３に沿ってその全長に亙って足場を組む必要がなく、作業が容易である。
【００３１】
本発明においては、橋梁添架管３の内面に前述の内張り層５を一層設けるだけでも十分な補強効果はあるが、送電線４の径が大きく電圧が高い場合には、内張り層５を二層以上形成してより補強効果を高めることもできる。
【００３２】
図５はその例を示すものであって、橋梁添架管３の内面に前述の方法により第一内張り層５ａを形成し、当該第一内張り層５ａの内面にさらに同様の構造の第二内張り層５ｂを形成して、二層の内張り層５により補強効果を高めたものである。
【００３３】
このように内張り層５を二層形成する場合には、そのうちの橋梁添架管３に接した第一内張り層５ａについては、より簡単な構造のものとすることができる。図６はその一例を示すものである。
【００３４】
すなわち、第一内張り層５ａを形成する内張り材１４として図７に示すように、たて糸９とよこ糸１０とよりなる筒状織布１１を高強度耐熱性繊維組織１６とし、その外面に熱可塑性樹脂被膜層７を形成したものであって、前記図４におけるガラス繊維糸１２は設けられていない。
【００３５】
この内張り材１４内に反応硬化型樹脂液を注入して筒状織布１１に含浸させ、これを前述の方法で流体圧力で裏返しながら橋梁添架管３内に挿通し、反応硬化型樹脂液を硬化させて第一内張り層５ａを形成する。
【００３６】
然る後、図４に示すガラス繊維糸１２を有する内張り材１４内に反応硬化型樹脂液を注入して筒状織布１１及びガラス繊維糸１２に含浸させ、これを同様に流体圧力で裏返しながら第一内張り層５ａ内に挿通し、反応硬化型樹脂液を硬化させて第二内張り層５ｂを形成し、図６に示す二層に内張りされた補強構造を形成する。
【実施例】
【００３７】
次に本発明における内張り層を具体的な実施例に基づいて説明する。この実施例においては、口径２００mmの橋梁添架管に内張りするものとして示す。
［実施例１］
【００３８】
１６７０dtexのアラミド繊維糸を３本撚り合わせた糸条をたて糸として６４０本使用し、これによこ糸として１６７dtexのポリエステル繊維糸を２１本撚り合わせた糸条を、１０cmに４２本打ち込んで、直径２００mmの筒状に織成して筒状織布を形成した。
【００３９】
またこの筒状織布の内面に、６００texのガラス繊維糸を１４本撚り合わせた糸条を、 １０cmに１９本のピッチでスパイラル状に沿わせ、１６７０dtexのアラミド繊維糸３２本を接結たて糸として使用して、前記ガラス繊維糸を前記筒状織布に接結し、高強度耐熱難燃性繊維組織を形成した。
【００４０】
この筒状織布の表面に、押出成型法によりポリエステル樹脂を被覆し、厚み０．５〜０．６mmの被膜層を形成して内張り材を形成した。
【００４１】
この内張り材内に二液混合型エポキシ樹脂を１ｍ当たり３．５kg注入し、内張り材をローラーで挟みながら長さ方向に送ることでエポキシ樹脂を内張り材内で均し、筒状織布及びガラス繊維糸に含浸させた。
【００４２】
次いでこの内張り材を、既知の方法により流体圧力で内側が外側となるように裏返しながら、橋梁添架管内に反転挿入した。そして反転時に内張り材の内部に作用させた流体圧力をそのまま保持しつつ常温で放置し、内張り材に含浸しているエポキシ樹脂を硬化させた。
［実施例２］
【００４３】
先の実施例１における内張り材において、ガラス繊維糸として６００texの糸を６本使 用した他は実施例１と同様の構成で内張り材を形成した。そしてこの内張り材を実施例１と同様に流体圧力により裏返しながら橋梁添架管内に挿通し、エポキシ樹脂を硬化させて第一内張り層を形成した後、さらに先と同一の内張り材を裏返しながら第一内張り層内に挿通し、エポキシ樹脂を硬化させて第二内張り層を形成した。
［実施例３］
【００４４】
１６７０dtexのアラミド繊維糸を３本撚り合わせた糸条を２本引き揃えて、これをたて糸として３２０本使用し、これによこ糸として１６７０texのアラミド繊維糸を３本撚り 合わせた糸条を、１０cmに５０本打ち込んで、直径２００mmの筒状に織成して筒状織布を形成し、これを高強度耐熱性繊維組織とした。
【００４５】
この筒状織布の表面に、押出成型法によりポリエステル樹脂を被覆し、厚み０．５〜０．６mmの被膜層を形成して内張り材を形成した。
【００４６】
この内張り材内に二液混合型エポキシ樹脂を１ｍ当たり１．３kg注入し、内張り材をローラーで挟みながら長さ方向に送ることでエポキシ樹脂を内張り材内で均し、筒状織布及びガラス繊維糸に含浸させた。
【００４７】
次いでこの内張り材を、先の実施例１と同様に流体圧力で内側が外側となるように裏返しながら、橋梁添架管内に反転挿通し、内張り材に含浸しているエポキシ樹脂を硬化させて第一内張り層を形成した。
【００４８】
次いで先の実施例２に示した内張り材内にエポキシ樹脂を注入して塗布し、これを同様に第一内張り層内に反転挿通し、エポキシ樹脂を硬化させて第二内張り層を形成し、二層の内張り層を形成した。
【００４９】
以上の実施例１〜３のいずれにおいても、内張り層は強固なＦＲＰ層を形成し、且つ橋梁添架管に強固に接着されており、その内張り層内に挿通された送電線に地絡が生じても、そのアークや衝撃に十分に耐えるものと認められた。
【図面の簡単な説明】
【００５０】
【図１】橋梁に橋梁添架管を設置した状態を示す斜視図
【図２】本発明により補強された橋梁添架管に送電線を挿通した状態の横断面図
【図３】図２におけるＡ−Ａ部の拡大断面図
【図４】本発明において使用される内張り材の一部を破断して示した斜視図
【図５】本発明により内張りされた橋梁添架管の他の例のＡ−Ａ部の拡大断面図
【図６】本発明により内張りされた橋梁添架管のさらに他の例を示す、Ａ−Ａ部の拡大断面図
【図７】本発明において使用される内張り材の他の例の一部を破断した斜視図
【符号の説明】
【００５１】
３  橋梁添架管
４  送電線
５  内張り層
６  ＦＲＰ層
７  熱可塑性樹脂被膜層
８  高強度耐熱難燃性繊維組織
９  たて糸
１０  よこ糸
１１  筒状織布
１２  ガラス繊維糸
１３  反応硬化型樹脂
１４  内張り材
１６  高強度耐熱性繊維組織
【図１】
2008259255.tif 000003
【図２】
2008259255.tif 000004
【図３】
2008259255.tif 000005
【図４】
2008259255.tif 000006
【図５】
2008259255.tif 000007
【図６】
2008259255.tif 000008
【図７】
2008259255.tif 000009